(57)【要約】【課題】印刷データＰＤに含まれる複数の画像データＧＤを編集し、効率的な製版を行う印刷データＰＤに変更する。【解決手段】印刷データＰＤに基づき孔版原紙を製版して版を形成し、版を版胴に巻装し、該版胴に搬送された記録媒体に印刷を行う孔版印刷装置１１であり、複数のページに対応する複数の画像データＧＤのうち、画像データＧＤ同士が同一であっても孔版原紙を各画像データＧＤ毎に製版させるように設定された印刷データＰＤに対し、同一の画像データＧＤの中から、不要な画像データＧＤを無効にする処理を行い、余分な製版を行わない設定の印刷データＰＤに変更する手段１５を備え、変更した印刷データＰＤに基づき孔版原紙の製版の実行を制御する。【選択図】図１
2009298111.tif 000002
【特許請求の範囲】
【請求項１】
印刷データに基づき孔版原紙を製版して版を形成し、前記版を版胴に巻装し、該版胴に搬送された記録媒体に印刷を行う孔版印刷装置において、
前記印刷データを読み込む読み込み手段と、
前記印刷データが同一の画像データに対し孔版原紙を各画像データ毎に製版させる設定の場合に、前記同一の画像データの中から、特定の画像データを無効にする処理を行うデータ変更手段と、
前記データ変更手段により変更した印刷データに基づき孔版原紙の製版の実行を制御する製版制御手段と、
を備えたことを特徴とする孔版印刷装置。
【請求項２】
前記印刷データにおいて、複数枚印刷する場合の各画像データはメモリに連続して割り当てられており、かつ、同一の画像データは隣り合うものであり、
前記読み込み手段は、前記連続して割り当てられた画像データを順番に読み込み、
前記データ変更手段は、読み込んだ現ページの画像データが次ページの画像データと同じか否かを判断するとともに、同じと判断された場合には、現ページの印刷部数を１増やした上で、次ページの画像データを削除する動作を最終ページの画像データまで繰り返すことで前記印刷データを変更することを特徴とする請求項１に記載の孔版印刷装置。
【請求項３】
前記孔版印刷装置は、前記印刷データを生成する印刷データ出力装置と通信手段を介して通信可能に構成され、
前記印刷データ出力装置で生成された印刷データを受信し、該印刷データに基づき印刷を行うことを特徴とする請求項１又は２に記載の孔版印刷装置。
【請求項４】
前記画像データは多色印刷用の画像データであり、
前記データ変更手段は、同一の画像データであるか否かを判断する場合に、画像データの像データ及び色データの一致を判断することを特徴とする請求項２又は３に記載の孔版印刷装置。
【発明の詳細な説明】
【技術分野】
【０００１】
この発明は孔版印刷装置に関し、さらに詳細には、印刷データに基づき孔版原紙を製版して版を形成し、前記版を版胴に巻装し、該版胴に搬送された記録媒体に印刷を行う孔版印刷装置において、複数のページに対応する複数の画像データのうち、画像データ同士が同一であっても孔版原紙を各画像データ毎に製版させるように設定された印刷データに対し、同一の画像データの中から、不要な画像データを無効にする処理を行い、余分な製版を行わない設定の印刷データに変更する孔版印刷装置に関する。
【背景技術】
【０００２】
従来から、孔版印刷装置のプリンタドライバにおいて、「部単位印刷」のオンとオフの設定を、ユーザが選択できるようになっている。
【０００３】
例えば、同一の画像データを５部印刷したい場合等は、部単位印刷をオフ（ＯＦＦ）に設定する。この場合、プリンタドライバより生成された印刷データを、孔版印刷装置に送信する際に、該印刷データが１ページを５部印刷する設定なので、［印刷部数：５部］＋［ページ１］という形でデータが生成され送信される。このため、孔版印刷装置は、ページ１の製版を１回行って、５部印刷することになる。（ページ単位印刷）。
【０００４】
また、異なる画像データ５ページ分を１部印刷したい場合等は、部単位印刷をオン（ＯＮ）に設定する。この場合、プリンタドライバから印刷データを孔版印刷装置に送信すると、プリンタドライバから孔版印刷装置に、［印刷部数：１部］＋［ページ１］；［ページ２］；［ページ３］；［ページ４］；［ページ５］という形でデータが送信されるため、孔版印刷装置は、ページ１からページ５のそれぞれのページを１部として、１部印刷を５回繰りかえす。つまり、製版・印刷を５回繰りかえすことになる。
【０００５】
上述のように、プリンタドライバにおいて、部単位印刷のオン（ＯＮ）またはオフ（ＯＦＦ）をユーザが状況に応じて切り換えて印刷データを生成し、孔版印刷装置へ送信している。
【０００６】
また、特許文献１を参照。
【特許文献１】特開２００２−３３７６７５号公報
【発明の開示】
【発明が解決しようとする課題】
【０００７】
このような従来の方法では、以下のような問題があった。
【０００８】
孔版印刷装置において、同一の画像データを複数部印刷したい場合、部単位印刷がオフ（ＯＦＦ）での設定（ページ単位印刷）が適正にもかかわらず、ユーザの誤操作などにより部単位印刷をオン（ＯＮ）の設定でプリンタドライバからデータを孔版印刷装置へ送ってしまうと、上述のように当該プリンタドライバの送信データは印刷部数１部が１ページとして生成されるため、孔版印刷装置では印刷部数の数だけ製版印刷を繰り返えしてしまうという問題があった。
【０００９】
例えば、［印刷部数：１部］＋［ページ１］；［ページ１］；［ページ１］；［ページ１］；［ページ１］・・・という形で印刷データが送られる場合を想定すると、
孔版印刷装置は受け取った印刷データに基づき製版・印刷するため、［ページ１、１部］を複数回繰り返してしまう。つまり、同一の画像データなので一回製版を行うだけでよいのに、わざわざ複数回繰り返してしまうという問題があった。これにより、マスター（印刷の版）や製版・印刷時間が無駄になっていた。
【００１０】
一方、上記の特許文献１（特開２００２−３３７６７５号公報）において、ネットワークにより接続された複数の印刷装置を選択的に利用する際に、製版方式の孔版印刷装置が選択された場合、印刷制御装置（プリンタドライバ）側で印刷ジョブの印刷モードを「ページ単位印刷」に自動で編集する手段が記載されているが、アプリケーションの種類によっては部単位印刷とページ単位印刷の変更が効かない場合があり、その際も孔版印刷装置で印刷されてしまうという問題がある。
【００１１】
本発明の目的は、上記のように誤って部単位印刷がオン（ＯＮ）の状態でデータを送った場合に、孔版印刷装置側で部単位印刷を無効にすることにより、上記の問題を解決することにある。
【課題を解決するための手段】
【００１２】
本発明は、前述のごとき問題に鑑みてなされたもので、請求項１に係る発明は、印刷データに基づき孔版原紙を製版して版を形成し、前記版を版胴に巻装し、該版胴に搬送された記録媒体に印刷を行う孔版印刷装置において、前記印刷データを読み込む読み込み手段と、前記印刷データが同一の画像データに対し孔版原紙を各画像データ毎に製版させる設定の場合に、前記同一の画像データの中から、特定の画像データを無効にする処理を行うデータ変更手段と、前記データ変更手段により変更した印刷データに基づき孔版原紙の製版の実行を制御する製版制御手段とを備えた孔版印刷装置である。
【００１３】
請求項１の発明によれば、印刷データが同一の画像データに対し孔版原紙を各画像データ毎に製版させる設定の場合に、同一の画像データの中から、特定の画像データを無効にする処理を行うので、製版回数を抑制し印刷時間、印刷コスト等を低減すことができるという効果を奏する。
【００１４】
請求項２に係る発明は、前記印刷データにおいて、複数枚印刷する場合の各画像データはメモリに連続して割り当てられており、かつ、同一の画像データは隣り合うものであり、前記読み込み手段は、前記連続して割り当てられた画像データを順番に読み込み、前記データ変更手段は、読み込んだ現ページの画像データが次ページの画像データと同じか否かを判断するとともに、同じと判断された場合には、現ページの印刷部数を１増やした上で、次ページの画像データを削除する動作を最終ページの画像データまで繰り返すことで前記印刷データを変更することを特徴とする上記孔版印刷装置である。
【００１５】
請求項２の発明によれば、同一の画像データは隣り合うので、画像データを順番に読み込み画像データが同じか否かを判断できるので処理が合理的になるという効果を奏する。
【００１６】
請求項３に係る発明は、前記孔版印刷装置は、前記印刷データを生成する印刷データ出力装置と通信手段を介して通信可能に構成され、前記印刷データ出力装置で生成された印刷データを受信し、該印刷データに基づき印刷を行う上記孔版印刷装置である。
【００１７】
請求項３の発明によれば、印刷データを印刷データ出力装置から通信手段を介して受信するので様々な装置から送信された印刷データを変更することができる。
【００１８】
請求項４に係る発明は、前記画像データは多色印刷用の画像データであり、前記データ変更手段は、同一の画像データであるか否かを判断する場合に、画像データの像データ及び色データの一致を判断する上記孔版印刷装置である。
【００１９】
請求項４の発明によれば、画像データの像データ及び色データの一致を画像データ一致の条件とするので多色印刷用の印刷データに対してもデータ変更処理を行うことが可能となる。
【発明の効果】
【００２０】
上述の如く本発明によれば、複数のページに対応する複数の画像データのうち、画像データ同士が同一であっても孔版原紙を各画像データ毎に製版させるように設定された印刷データに対し、同一の画像データの中から、不要な画像データを無効にする処理を行い、余分な製版を行わない設定の印刷データに変更するため製版回数を抑制し印刷時間、印刷コスト等を低減すことができるという効果を奏する。
【発明を実施するための最良の形態】
【００２１】
本発明の実施の形態を、図面を参照して説明する。図１に印刷システム１の概略の構成を示す。
【００２２】
前記印刷システム１は、パーソナルコンピュータの一態様としての印刷データ出力装置３と、孔版印刷装置１１とを備える。前記印刷データ出力装置３には、各アプリケーション７が搭載されているとともに、マウス、キーボード等の入出力部と、ＣＲＴ（Cathode：Ray：Tube）等の表示部とが接続されているとともに、前記印刷データ出力装置３と前記孔版印刷装置１１とはネットワーク（例えば、ＬＡＮ）及びインターフェイス部９を介して通信可能である。そして、プリンタドライバ５により生成された印刷データＰＤが孔版印刷装置１１へ送信される。
【００２３】
孔版印刷装置１１が備える制御部１５は、図示しないＣＰＵ（Central：Processing：Unit）、ＲＡＭ（Random：Access：Memory）、ＲＯＭ（read：only：memory）、記憶手段（例えばハードディスク、ＣＤ、ＦＤ）等で構成され、該制御部１５は、ＲＯＭや記憶手段に記憶されたプログラムやデータをＲＡＭに読み出して所定の処理を実行し、処理結果に基づいて孔版印刷の機構に係る機械部１７及び孔版印刷装置１１の全体を制御する。ここで、上記機械部１７は、例えば、機械的動作に係わる製版部、印刷部等を含むものである。
【００２４】
インタフェース部１３は、孔版印刷装置１１がネットワーク等を介して他装置と接続するための機能を有し、本例では、印刷データ出力装置３のインタフェース９と接続され、上記印刷データ出力装置３が送信した印刷データＰＤを受信する。
【００２５】
図２を参照する。前記制御部１５は、データ展開部１９と、展開データメモリ２１と、データ解析部２３と、画像データ比較部２５と、印刷データ変更部２７と、変更データメモリ２９とを備え、データ変更手段として機能する。また該制御部１５は、さらに機械制御部３１を有する。
【００２６】
すなわち、データ変更手段は、印刷データＰＤが、同一の画像データＧＤに対し孔版原紙を各画像データＧＤ毎に製版させるように設定されいる場合に、同一の画像データＧＤの中から、特定の画像データＧＤを無効にする処理を行い、余分な製版を行わない設定の印刷データＰＤに変更する。そして、データ変更手段により変更した印刷データＰＤに基づき孔版原紙の製版の実行を機械制御手段が制御する。
【００２７】
具体的には、前記データ展開部１９は、前記印刷データ出力装置３から送信されてきた印刷データＰＤを受信し、例えば、圧縮されている場合には該印刷データＰＤを圧縮前の印刷データＰＤに展開し、前記展開データメモリ２１に記憶する。
【００２８】
前記データ解析部２３は、前記展開データメモリ２１より、展開された前記印刷データＰＤを読み込み、印刷データＰＤの解析を行う。例えば、印刷データＰＤが画像データＧＤを複数含んでいるか否かを判断する処理を行う。
【００２９】
前記画像データ比較部２５は、印刷データＰＤに含まれている複数の画像のそれぞれを比較し同一か否かを判断する。前記印刷データ変更部２７は、展開データメモリ２１より展開された印刷データＰＤを読み込み印刷データＰＤの変更を行い変更データメモリ２９に記憶する。
【００３０】
すなわち、印刷データＰＤにおいて、同一のページを複数枚印刷する場合の各画像データＧＤはメモリに連続してり当てられており、かつ、同一の画像データＧＤは隣り合うものであり、読み込み手段により、連続して割り当てられた画像データＧＤを順番に読み込まれる。そして、画像データ比較部２５は、読み込んだ現ページの画像データＧＤが次ページの画像データＧＤと同じか否かを判断する。同じと判断された場合には、印刷データ変更部２７が現ページの印刷部数を１増やした上で、次ページの画像データＧＤを削除する動作を最終ページの画像データＧＤまで繰り返すことで前記印刷データＰＤを変更し、変更された印刷データＰＤを変更データメモリ２９に記憶する。
【００３１】
ここで、画像データＧＤが多色印刷用の画像データＧＤである場合は、制御部（データ変更手段）１５の画像データ比較部２５は、同一の画像データＧＤであるか否かを判断する場合に、画像データＧＤの像データの一致とともに色データの一致を画像データ同一の条件とする（詳細は後述）。
【００３２】
前記機械制御部３１は、変更データメモリ２９より変更された印刷データＰＤを読み込み、該印刷データＰＤにより孔版印刷装置１１の制御を行う。
【００３３】
図３を参照し孔版印刷装置１１の概略の構成を説明する。製版部４１は、ロールされた長尺状の孔版原紙４３を収容する原紙収容部４５、原紙収容部４５の搬送下流に配置されたサーマルヘッド４７、サーマルヘッド４７の対向位置に配置されたプラテンロール４９、プラテンロール４９及びサーマルヘッド４７の搬送下流に配置された原紙送りロール対５１、プラテンロール４９及び原紙送りロール対５１を回転駆動するライトパルスモータ５３、原紙送りロール対５１の搬送下流に配置された原紙カッタ５５などを有する。
【００３４】
プラテンロール４９と原紙送りロール対５１の回転により長尺状の孔版原紙４３を搬送し、送信された後に、変更された画像データに基づきサーマルヘッド４７により、孔版原紙４３を感熱穿孔して製版し、製版された孔版原紙４３を所定長さに原紙カッタ５５で切断する。
【００３５】
着版部５７は、版胴５９の外周面に設けられ、孔版原紙４３の先端をクランプする原紙クランプ部６１、版胴５９の検出片６３ａを検出することによって版胴５９の外周面に孔版原紙４３が着版されているか否かを検出する原紙確認センサ６３などを有する。
【００３６】
印刷部６５は、外周部分が多孔構造によるインク通過性の部材で構成され、ドラム駆動モータ６７の駆動力によって図３のＡ矢印方向に回転する版胴５９、版胴５９の検出片６９ａを検出することによって版胴５９の基準位置を検出する基準位置検出センサ６９、ドラム駆動モータ６７の回転を検出するロータリエンコーダ７１などを有する。基準位置検出センサ６９の検出出力を基にロータリエンコーダ７１の出力パルスを検出することによって、版胴５９の回転位置を検出することができる。
【００３７】
また、印刷部６５は、版胴５９の内部に配置されたスキージロール７３、スキージロール７３に近接配置されたドクターロール７５を有し、スキージロール７３とドクターロール７５とで囲まれた外周スペースにインク７７が溜められている。回転するスキージロール７３の外周に付着するインク７７がドクターロール７５との隙間を通ることで、スキージロール７３には所定膜厚のインク７７のみが付着され、この所定膜厚のインク７７が版胴５９の内周面に供給される。さらに、印刷用紙Ｐを版胴５９に押し付けるプレスローラ７９は、版胴５９の回転に同期して駆動される。
【００３８】
そして、製版部４１から搬送される孔版原紙４３の先端を原紙クランプ部６１でクランプし、このクランプした状態で版胴５９が回転されて孔版原紙４３が版胴５９の外周面に着版され、版胴５９の回転に同期して給紙部８１より搬送される印刷用紙Ｐをプレスローラ７９で版胴５９に着版された孔版原紙４３に押圧することによって孔版原紙４３の穿孔からインク７７が印刷用紙Ｐに転写されて原稿の画像が印刷される。
【００３９】
給紙部８１は、印刷用紙Ｐが載置される給紙台８３、給紙台８３から最上位置の印刷用紙Ｐのみを搬送させる１次給紙ロール８５、１次給紙ロール８５によって搬送された印刷用紙Ｐを版胴５９の回転に同期して版胴５９とプレスローラ７９の間に搬送する２次給紙ロール対８７、２次給紙ロール対８７間に印刷用紙Ｐが搬送されたか否かを検出する給紙センサ８９などを有する。１次給紙ロール８５には給紙クラッチ９１を介してドラム駆動モータ６７の回転が選択的に伝達されるように構成されている。
【００４０】
排紙部９３は、印刷処理された印刷用紙Ｐを版胴５９から分離する用紙分離爪９５、用紙分離爪９５により版胴５９から剥離された印刷用紙Ｐが搬送される搬送通路９７、搬送通路９７より排紙される印刷用紙Ｐが載置される排紙台９９などを有する。
【００４１】
排版部１０１は、版胴５９に着版された孔版原紙４３を引き剥がしながら搬送する排版搬送ロール対１０３、排版搬送ロール対１０３を回転駆動する排版モータ１０５、排版搬送ロール対１０３により搬送されて来る孔版原紙４３を収納する排版ボックス１０７、排版搬送ロール対１０３により搬送されてくる孔版原紙４３が排版ボックス１０７に搬送されたか否かを検出する排版センサ１０９などを有する。
【００４２】
図４を参照する。多色印刷を行う孔版印刷装置においての、本願発明の適用例を示す。ここでは、上述のように単色の場合の孔版印刷装置１１の詳細について説明したので、特に異なる構成のみについて説明する。
【００４３】
一般に、複数の版胴を有し、単色及び多色印刷が可能な孔版印刷装置は、第１版胴１２１、第２版胴１２３、及び圧胴１２５が回転自在に装置本体内に配置され、第１、第２版胴（１２１，１２３）がそれぞれ、紙胴の中心角にして約９０度離れた圧胴１２５の外周面の位置に近接配置された構成となっている。そして、このような孔版印刷装置を用いて印刷処理を行う際は、初めに、第１、第２色用の画像（印刷）データに基づいて製版された孔版原紙１２７の先端をそれぞれ、第１版胴１２１及び第２版胴１２３の原紙クランプ部においてクランプし、各版胴（１２１，１２３）のスクリーン１２９に装着させた後、第１版胴１２１、第２版胴１２３、及び圧胴１２５を同期回転させた状態で、第１版胴１２１と紙胴１２５との間に給紙部１３１からロール１３３、用紙ガイド１３５，１３７を介して印刷用紙Ｐを搬送する。これにより、給紙部１３１から搬送された印刷用紙Ｐは、圧胴１２５の用紙クランプ部においてクランプされ、圧胴１２５の外周面に沿って第１版胴１２１と圧胴１２５との間を通過し、この際、孔版原紙１２７の穿孔を介して印刷用紙Ｐ上に第１色のインクが転移する。印刷用紙上Ｐに第１色のインクが転移されると、印刷用紙Ｐは、続いて、第２版胴１２３と圧胴１２５との間に搬送され、第２版胴１２３と圧胴１２５との間を通過することにより、第１色のインクの時と同様の原理で第２色のインクが印刷用紙上Ｐに転移される。そして、用紙ガイド部１３９、用紙剥ぎ取り爪１４１、ロール１４３を介して排紙部１４５に所望の画像が印刷された印刷用紙Ｐを排紙し、多色印刷処理は完了する。
【００４４】
図５乃至図８を参照し、印刷データＰＤが、同一の画像データＧＤに対し孔版原紙を各画像データＧＤ毎に製版させるように設定されている場合に、同一の画像データＧＤの中から、特定の画像データＧＤを無効にする処理を行い、余分な製版を行わない設定の印刷データＰＤに変更する制御手段１５（データ変更手段）の動作を説明する。
【００４５】
図５に示すように、初めにステップＳ０１では、インターフェイス部１３が、印刷データ出力装置３のプリンタドライバ５から出力された、印刷データＰＤを受信する。
【００４６】
図６を参照する。プリンタドライバ５により、部単位印刷のオン（ＯＮ）、オフ（ＯＦＦ）を設定する画面ＧＭを示す。印刷部数の欄の部数入力部ＮＲに部数を入力し、設定部ＣＲに設定のマークを付与し、ボタンＢＮを押下することにより部単位印刷オン（ＯＮ）の設定が完了する。この状態で印刷データＰＤを送信すると部単位印刷オン（ＯＮ）の印刷データＰＤが孔版印刷装置１１に送信される。
【００４７】
ステップＳ０３では、データ展開部１９が、受信した印刷データＰＤを展開し、展開データメモリ２１に記憶する。
【００４８】
図７に部単位印刷オン（ＯＮ）の場合の印刷データＰＤの構造を示す。前記展開データメモリ２１に記憶されている印刷データＰＤは、印刷データＰＤの先頭に付加される各種情報及び印刷部数１部の情報を含むジョブヘッダＪＨを備えている。これらの情報により該印刷データＰＤが部単位印刷がオン（ＯＮ）又はオフ（ＯＦＦ）かの判断が可能になる。
【００４９】
そして、該ジョブヘッダＪＨに続き、ページ１の画像データ（孔版印刷装置なら二値データ等）を５つ（画像データＧＤ−１から画像データＧＤ−５）備えている。最後に、１つのジョブが終了したことを示す最終ページに付加されるコマンドからなるジョブエンドコマンドＪＥを備えている。
【００５０】
ここで、プリンタドライバ５側では、印刷データＰＤにおいて、複数枚印刷する場合の、例えば画像データＰＤ−１から画像データＰＤ−５はメモリに連続し割り当てられており、かつ、同一の画像データは隣り合うように作成するようになっている。
【００５１】
これにより、同一の画像データＧＤ同士は隣り合うので、画像データＧＤを順番に読み込み画像データＧＤが同じか否かを判断できるのでコンピュータプログラムの処理ロジックが合理的になるという効果を奏する。
【００５２】
ステップＳ０５では、データ解析部２３が、展開データメモリ２１より展開された印刷データＰＤを読み込み複数ページの印刷データＰＤであるか否かの判断を行う。複数ページの印刷データＰＤであると判断した場合に、処理はステップＳ０７に進む。複数ページの印刷データＰＤでない場合に処理はステップＳ２１に進む。
【００５３】
ステップＳ２１では、機械制御部（製版制御手段）３１が、印刷データＰＤに基づき孔版原紙の製版の実行を制御する。
【００５４】
ステップＳ０７では初期値の設定を行う。すなわち、Ｎ＝１、Ｍ＝１として初期値の設定を行う。
【００５５】
ステップＳ０９では、画像データ比較部２５が、［Ｎページ］の画像データＧＤ（例えば画像データＧＤ−１）と［Ｎ＋Ｍページ］の画像データＧＤ（例えば画像データＧＤ−２）は全く同じ画像データＧＤか否かの判断を行う。全く同じ画像データＧＤであると判断した場合に処理はステップＳ１５に進む。異なる画像データＧＤであると判断した場合に処理はステップＳ１１に進む。
【００５６】
ここで、画像データＧＤは多色印刷用の画像データＧＤの場合は、画像データ比較部２５は、同一の画像データＧＤであることを判断する場合に、画像データＧＤの像データの一致とともに色データの一致を同一の条件とする。
【００５７】
例えば、黒赤の多色印刷データを想定し、画像データのＸＹマトリックスのある位置のデータにおいて、［０］は印刷しない（孔版原紙に穿孔しない）。［１］は黒色、［２］は赤色のデータを想定する。すなわち、単色印刷データ（印刷するかしないかのみの場合）は［０］；［１］の一致のみを判断するが、赤黒の多色色印刷データの場合は［０］；［１］；［２］までの一致を判断すればよいことになる。
【００５８】
ステップＳ１１では、印刷データ変更部２７が、［Ｎ＋Ｍページ］は最終ページの画像データＧＤか否かの判断を行う。最終ページの画像データＧＤと判断した場合に、印刷データＰＤの変更データを変更データメモリ２９に記憶して、処理はステップＳ２１に進む。最終ページの画像データＧＤではないと判断した場合に処理はステップＳ１３に進む。
【００５９】
ステップＳ２１では、機械制御部３１が、変更データメモリ２９に記憶されている変更後の印刷データＰＤに基づき孔版原紙の製版の実行を制御する。
【００６０】
ステップＳ１３では、印刷データ変更部２７が、Ｎ＝Ｎ＋Ｍ、Ｍ＝１の設定を行う。続いて、処理をステップＳ０９に戻す。
【００６１】
ステップＳ１５では、印刷データ変更部２７が、［Ｎページ］の印刷部数を［＋１］増加する。そして、［Ｎ＋Ｍページ］の画像データＧＤの削除を行う。
【００６２】
ステップＳ１７では、印刷データ変更部２７が、［Ｎ＋Ｍページ］は最終ページの画像データＧＤか否かの判断を行う。最終ページと判断した場合に、変更後の印刷データＰＤを変更データメモリ２９に記憶し処理はステップＳ２１に進む。最終ページの画像データＧＤでないと判断したとき処理はステップＳ１９に進む。
【００６３】
ステップＳ１９では、印刷データ変更部１９は、Ｍ＝Ｍ＋１の処理を行い、続いて、処理をステップＳ０９に移す。
【００６４】
ステップＳ２１では、機械制御部３１（製版制御手段）が、印刷データ変更部２７により変更した印刷データＰＤを変更データメモリ２９より読み出し孔版原紙の製版の実行を制御する。
【００６５】
上述のようなプログラムロジックによれば、本例では、初めに現ページの画像データＧＤ−１と次のページの画像データＧＤ−２を比較し、現ページの画像データＧＤ−１と次ページの画像データＧＤ−２が全く同じ場合は、現ページの画像データＧＤ−１の印刷部数を１増やした上で次ページの画像データＧＤ−２を削除するという動作を繰りかえすことにより、最終的に画像データＧＤ−２から画像データＧＤ−５は削除され以下のような印刷データＰＤに変更される。
【００６６】
図８に示すように、ジョブヘッダＪＨが、［印刷部数：５部］＋［ページ１］というデータに変換される。すなわち、画像データＧＤ−１から画像データＧＤ−５は画像データＧＤ−１のみとなり、印刷部数１部が印刷部数５部に変更される。そして、最終ページの画像データＧＤ−１にジョブエンドコマンドＪＥが付与される。
【００６７】
これにより、孔版印刷装置１１では、ページ１を１回製版することにより５部印刷するという動作になり、上述の課題が解消する。
【００６８】
また、本願発明では、以下のようなケースにも有効である。
例えば、部単位印刷オン（ＯＮ）で以下の印刷データＰＤを送信した場合を想定する。
【００６９】
［印刷部数：１部］＋［ページ１］；［ページ１］；［ページ２］；［ページ２］；［ページ３］；［ページ３］
上記の印刷データＰＤでは、［ページ１］の製版を２回繰りかえすとともに、［ページ２］の製版を２回行う。さらに、［ページ３］の製版を２回繰りかえす。この印刷データＰＤに対し上記の制御部１５によるデータ変更処理を実行すると、以下のような印刷データＰＤに変更する。
【００７０】
［印刷部数：２部］＋［ページ１］；［ページ２］；［ページ３］
すなわち、［ページ１］；［ページ２］；［ページ３］の製版を各１回行うとともに、各ページの印刷部数２部という印刷データＰＤに変更する。これにより、製版回数を６回から３回に低減でき製版時間及び製版コスト等の低減が可能になるという効果を奏する。
【００７１】
なお、本発明は、上述した実施の態様の例に限定されることなく、適宜の変更を加えることにより、その他の態様で実施できるものである。
【図面の簡単な説明】
【００７２】
【図１】孔版印刷システムの概略の構成を説明する概略図である。
【図２】制御部の概略の構成を説明する概略図である。
【図３】孔版印刷装置を説明する説明図である。
【図４】多色印刷の孔版印刷装置の概略を説明する説明図である。
【図５】データ変更処理の動作を示すフローチャートである。
【図６】印刷方法設定画面を説明する説明図である。
【図７】データ構造を説明する説明図である。
【図８】データ構造を説明する説明図である。
【符号の説明】
【００７３】
１  孔版印刷システム
３  印刷データ出力装置
５  プリンタドライバ
７  アプリケーション
９  インターフェイス部
１１  孔版印刷装置
１３  インターフェイス部
１５  制御部
１７  機械部
【図１】
2009298111.tif 000003
【図２】
2009298111.tif 000004
【図３】
2009298111.tif 000005
【図４】
2009298111.tif 000006
【図５】
2009298111.tif 000007
【図６】
2009298111.tif 000008
【図７】
2009298111.tif 000009
【図８】
2009298111.tif 000010